(57)【要約】【課題】電力線に高周波信号を重畳させてコイン式ゲーム機の稼働状況等を把握できるようになしたゲーム機管理装置を提供する。【解決手段】共通の電源で動作する複数台のコイン式ゲーム機２，３，４・・・の各機に、投入されたコインを検出するセンサ２３と、当該センサ２３によって検出されたコインの数に関するデータおよびゲーム機本体のコードデータを保持する保持部２５と、当該保持部２５が記憶するデータの発信を行う電力線通信部２６を付設する。前記ゲーム機各機から電力線を介して伝送されるデータを受信する電力線通信部１２と、当該電力線通信部１２によって受信した受信データの処理を行う処理演算手段１１を備えた管理機器１とから構成される。【選択図】　図２
2004141444.tif 000002
【特許請求の範囲】
【請求項１】
ゲームセンターに設置される複数台のコイン式ゲーム機の稼働状況等を管理するためのゲーム機管理装置において、共通の電源で動作する複数台のコイン式ゲーム機の各機に、投入されたコインを検出するセンサと、当該センサによって検出されたコインの数に関するデータおよびゲーム機本体のコードデータを保持する保持部と、当該保持部が記憶するデータの発信を行う電力線通信部とを付設すると共に、前記ゲーム機各機から電力線を介して伝送されるデータを受信する電力線通信部と、当該電力線通信部によって受信した受信データの処理を行う処理演算手段を備えた管理機器とから構成されることを特徴とするゲーム機管理装置。
【発明の詳細な説明】
【０００１】
【発明の属する技術分野】
本発明は電力線に高周波信号を重畳させてコイン式ゲーム機の稼働状況等を把握できるようになしたゲーム機管理装置に関する。
【０００２】
【従来の技術】
遊戯者の趣向に合わせてゲームセンターは各種各様のゲーム機を複数台設置しており、遊戯者は自己の好みに応じてゲーム機を選択し、ゲームセンター独自のメダルないし硬貨（以下これらを併せてコインという）を、選択したゲーム機の所定の投入口に所定枚数投入し、当該ゲーム機の動作をスタートさせ、遊戯に供するものである。
【０００３】
ところで、ゲームセンターの売上げ向上のためには、遊戯者の間でどの種類のゲーム機が好まれているというような各ゲーム機毎の稼働状況の把握が必要不可欠であるが、従来はゲームセンターの閉店後において、各ゲーム機のコインボックスからのコイン回収時に、ゲーム機に設けられているコイン投入カウンターの数値を確認し、当該数値に基づいて稼働状況等を管理するようにしている。
【０００４】
【発明が解決しようとする課題】
前記したように、従来はゲームセンター内の各ゲーム機の稼働状況の管理は、全てのゲーム機のコイン回収後でなければ把握することができないという問題点があった。なお、パチンコホールのように各パチンコ台の出玉状態が常時把握できるシステムのように、ゲームセンターでも各ゲーム機と、パソコンを始めとした管理機器とをケーブルで接続し、有線方式でコインの投入状態を把握するようにしてもよいが、データを伝送するためのケーブルがゲームセンターのフロアを這うこととなり不都合を生ずることが多い。
【０００５】
特に、ゲームセンターにおいては、新規なゲーム機の導入・移動等や、ゲーム機の機種の入れ替えが頻繁になされることが多く、さらに同一のゲームセンター内においてもそのレイアウトの変更が度々行われる。したがって、専用のデータ伝送線を採用したとすると、その変更の度に伝送線との接続替え等が必要となり、無線による伝送方式を採用した場合でも電波状況等により確実にデータの伝送ができない場合が生ずる。
【０００６】
そこで、本発明は共通の電源で動作する複数台のゲーム機を繋げている電力線に着目し、各ゲーム機にデータの保持部と電力線通信部を付設して、電力線に高周波信号を重畳させて管理機器との間で送受信できるようになしたゲーム機管理装置を提供することを目的とするものである。
【０００７】
【課題を解決するための手段】
前記目的を達成するための本発明の構成を詳述すれば、ゲームセンターに設置される複数台のコイン式ゲーム機の稼働状況等を管理するためのゲーム機管理装置において、共通の電源で動作する複数台のコイン式ゲーム機の各機に、投入されたコインを検出するセンサと、当該センサによって検出されたコインの数に関するデータおよびゲーム機本体のコードデータを保持する保持部と、当該保持部が記憶するデータの発信を行う電力線通信部とを付設すると共に、前記ゲーム機各機から電力線を介して伝送されるデータを受信する電力線通信部と、当該電力線通信部によって受信した受信データの処理を行う演算処理手段を備えた管理機器とから構成されることを特徴とするゲーム機管理装置である。
【０００８】
各ゲーム機にコインが投入されると、センサ部でこれを検出し、データ保持部でカウントされる。そして所定時あるいは管理機器からの高周波指示信号（電力線搬送信号）によって、当該ゲーム機のコードデータとコインのカウントデータをゲーム機の電力線通信部から発信し、これを管理機器で受信する。管理機器はその管理下の全てのゲーム機のデータを受信し整理集計するものである。
【０００９】
本発明はこのようにゲームセンター内に配線してある既設の電力線を信号の搬送線として利用するものであるため、従来のように専用の通信ケーブルがセンターのフロアを複雑に這うといった問題点を解消することができると共に、無線による伝送方式と異なり確実にデータの伝送が行えるものである。
【００１０】
【発明の実施の形態】
以下、本発明に係るゲーム機管理装置の具体的構成を図示の実施形態に基づき詳細に説明する。
図１は本発明ゲーム機管理装置による管理システムの説明図、図２は本発明ゲーム機管理装置による各ゲーム機と管理機器との間のデータ伝送システムの説明図である。
【００１１】
本発明ゲーム機管理装置による管理システムは、電力線搬送で確実にデータ伝送が可能な範囲、すなわち独立した店舗あるいは独立しているフロアを一単位として管理機器１を設置し、この管理機器１が当該フロア内の複数のゲーム機２，３，４・・・を管理するようにしているものである。管理機器１の主たる処理装置としてはパソコンを用いることができる。
【００１２】
本発明ゲーム機管理装置を構成するのは管理機器１およびゲーム機２であり、そのうちゲーム機２の具体的構成は、図２に示すように従前のゲーム機と同様のコイン投入口２１と、投入されたコインを蓄えるコインボックス２２と、当該コイン投入口２１とコインボックス２２の間に付設される投入コインを検出するセンサ部２３と、遊戯者がゲームに興ずるゲーム機本体２４を備え、これに新規にデータ保持部２５と電力線通信部２６を付設するものである。
【００１３】
データ保持部２５は、センサ部２３のコイン投入時の接点スイッチオンの回数をカウントするカウント機能と、カウントデータおよび当該ゲーム機の機体番号データ（ＩＤデータ）を記憶するメモリ機能と、管理機器からの高周波指示信号によるデータクリア機能とを具備しており、専用の基板として既設のゲーム機に組み込むものである。なお、データの保持に電源遮断時にもデータが消失しないようにバックアップ電源を付設しておくようにするとよい。
【００１４】
電力線通信部２６は、電力線搬送モデムを構成すればよいもので、一般的な電力線搬送用のモデムＩＣ等を利用し、データ保持部２５が保有するデータを電力線搬送によって高周波送信を行い、また管理機器１からの指示信号を受信するものである。
【００１５】
また、管理機器１はパソコンからなるデータの演算処理部１１と、ゲーム機２との間の電力線搬送によるデータ伝送を行なう電力線通信部１２で構成されており、演算処理部１１は、各ゲーム機２，３，４・・・の電力線搬送によるデータ収集プログラムおよびフロア内機器の集計管理プログラムを具備しているものである。
【００１６】
しかして、ゲームセンターにおいて各遊戯者は自己の好みに応じてゲーム機２，３，４・・・で楽しむものであり、ゲーム機２，３，４・・・の作動は、各ゲーム機にコインが投入されて開始するものであるから、コインの投入をセンサ部２３でこれを検出し、データ保持部２５でコインの投入数をカウントすると当該ゲーム機の稼働状況を把握することができる。
【００１７】
そこで、毎時００分というように各ゲーム機２，３，４・・・に予めプログラミングしておいた各ゲーム機特有の時間、または管理機器１からの指示信号（当該ゲーム機のＩＤ番号の電力線搬送信号）の受信時に、当該ゲーム機のコードデータとコインのカウントデータを電力線通信部２６から発信し、管理機器１はこのデータ信号を電力線通信部１２によって受信する。このようにして管理機器１はその管理下にある全てのゲーム機２，３，４・・・の稼働状況を受信し、これを整理集計するものである。
【００１８】
したがって、ゲーム機の稼働状況は、従来のように何ら各ゲーム機のコインボックスに投入されたコイン数を確認する必要がなく、任意に定めた時点にコイン投入カウント数に基づいて容易に把握することができ、人気のない機種を人気のある機種に切り換えることによってゲームセンター全体の売上げ向上を図ることができるものである。
【００１９】
【発明の効果】
以上のように、本発明に係るゲーム機管理装置は、電力線に高周波信号を重畳させてコイン式ゲーム機の稼働状況等を随時把握することができ、従来のようにゲームセンターのフロアを専用の通信ケーブルが這うといった問題点を解消することができる。しかもゲームセンター内のレイアウト変更によるゲーム機の配置替え並びに新規ゲーム機の入れ替え等があっても何ら支障なく管理することができる。
【図面の簡単な説明】
【図１】本発明ゲーム機管理装置による管理システムの説明図である。
【図２】本発明ゲーム機管理装置による各ゲーム機と管理機器との間のデータ伝送システムの説明図である。
【符号の説明】
１：管理機器　　　　　　　　　　１１：処理部
１２：電力線通信部　　　　　　　　　２：ゲーム機
３：ゲーム機　　　　　　　　　　　４：ゲーム機
２１：コイン投入口　　　　　　　　２２：コインボックス
２３：センサ部　　　　　　　　　　２４：ゲーム機本体
２５：データ保持部　　　　　　　　２６：電力線通信部
【図１】
2004141444.tif 000003
【図２】
2004141444.tif 000004